(57)【特許請求の範囲】
【請求項１】
制御部により空調機器設備を制御する設備制御システムにおいて、前記制御部は、任意の機器が接続される汎用出力部と汎用入力部を備え、該機器を制御するための複数種類の制御パターンを記憶する記憶手段と、前記汎用入出力部に接続された機器に応じて、該機器を制御するための制御パターンを前記複数種類の制御パターンの中から初期設定モードにて設定する設定手段を有する温度設定器とを備え、この温度設定器の設定により、汎用入出力部に接続される殺菌灯や換気ファンなどの汎用機器の追加や削除或は機種変更を可能とすると共に、前記制御部と監視管理装置とを通信部を介して接続して、汎用入出力の監視及び管理を可能としたことを特徴とする設備制御システム。
【請求項２】
請求項１記載の設備制御システムにおいて、任意の機器が接続される汎用入力部を備え、前記設定手段にて、前記汎用出力部に接続された第１の機器に応じて、該第１の機器を制御するための制御パターンを前記複数種類の制御パターンの中から設定すると共に、前記汎用入力部に接続された機器からの入力信号に応じた制御パターンで、前記制御部に接続された第２の機器を前記制御部により制御するように設定することを特徴とする設備制御システム。
【発明の詳細な説明】
【０００１】
【発明の属する技術分野】
本発明は空調機器などの設備を制御する設備制御システムに関する。
【０００２】
【従来の技術】
一般のビル等の設備を制御する設備制御システムは、ビル全体等の設備を監視する中央監視装置と、各室単位で空調機器や照明設備、防災設備等の設備を制御する複数の制御部と、各種指示を行う操作部等で構成され、中央監視装置が各制御部を介して設備を監視している。上記制御部は、出力部に空調機器や照明設備、防災設備等の機器が接続されて入力部に室温センサなどの入力機器が接続され、この入力機器や操作部からの入力信号を用いて、出力部に接続されている空調機器や照明設備、防災設備等の機器を制御している。
【０００３】
例えば、特開平１１−２８１１３２号公報には、制御部内に想定される複数種類の通信制御プログラムを選択可能に記憶させるようにして、異なるメーカによって作られた様々な機種であってもシステム構築しやすいようにした集中処理型の設備制御システムが記載されている。
【０００４】
また、特開平１１−３１２１９4号公報には、ビル内にＬＡＮで運用される既設のパソコンの汎用ブラウザプログラムを介してビル管理状態を認識させるようにして、ビル管理システムを構築した後で生じる制御部等の設置場所の変更や機能追加を簡単に行う集中処理型の設備制御システムが記載されている。
【０００５】
さらに、最近では、上述した集中処理型の設備制御システムに代えて、様々な種類の機器やソフトウエアの相互運用を目的として標準規格化されたネットワーク・プロトコルを使用した分散型制御システムを採用して設備のマルチベンダー化を促し、システムのコスト低減を図る技術も知られている。
【０００６】
【発明が解決しようとする課題】
上記設備制御システムでは、入出力部のどの入出力端子にどの機器を接続するかが予め決められており、入出力部の入出力端子にどのような機種の機器でも接続できるという汎用性がなく、入出力部に接続される機器の追加、削除や機種変更が困難であり、システムのリニューアルに要するコストが高かった。
【０００７】
本発明は、汎用出力部に接続される機器の追加、削除や機種変更が可能であり、リニューアルに要するコストを低減することができる設備制御システムを提供することを目的とする。
【０００８】
【課題を解決するための手段】
上記目的を達成するため、請求項１に係る発明は、制御部により空調機器設備を制御する設備制御システムにおいて、前記制御部は、任意の機器が接続される汎用出力部と汎用入力部を備え、該機器を制御するための複数種類の制御パターンを記憶する記憶手段と、前記汎用入出力部に接続された機器に応じて、該機器を制御するための制御パターンを前記複数種類の制御パターンの中から初期設定モードにて設定する設定手段を有する温度設定器とを備え、この温度設定器の設定により、汎用入出力部に接続される殺菌灯や換気ファンなどの汎用機器の追加や削除或は機種変更を可能とすると共に、前記制御部と監視管理装置とを通信部を介して接続して、汎用入出力の監視及び管理を可能としたものである。
【０００９】
請求項２に係る発明は、請求項１記載の設備制御システムにおいて、任意の機器が接続される汎用入力部を備え、前記設定手段にて、前記汎用出力部に接続された第１の機器に応じて、該第１の機器を制御するための制御パターンを前記複数種類の制御パターンの中から設定すると共に、前記汎用入力部に接続された機器からの入力信号に応じた制御パターンで、前記制御部に接続された第２の機器を前記制御部により制御するように設定するものである。
【００１０】
【発明の実施の形態】
図２は本発明の一実施例の概略を示す。この実施例の設備制御システムは、ビル管理システムの例であり、ビル等の各室１、２・・・には、制御部としてのファンコイルユニット（以下ＦＣＵという）コントローラ１１、１２・・・及び温度設定器２１、２２・・・が設けられる。温度設定器２１、２２・・・は室温を設定する設定器であり、ＦＣＵコントローラ１１、１２・・・は各室単位で温度設定器２１、２２・・・の設定温度値を用いて空調機器を制御して各室１、２・・・の冷房、暖房、送風などを行う。
【００１１】
中央装置としての監視管理装置３０は、ネットワーク３１を介してＦＣＵコントローラ１１、１２・・・に接続され、ネットワーク３１を介してＦＣＵコントローラ１１、１２・・・と通信を行ってＦＣＵコントローラ１１、１２・・・を制御することによって各室１、２・・・単位で空調機器などの監視及び管理を行う。
【００１２】
図１は上記ＦＣＵコントローラ及び温度設定器の構成を示す。ＦＣＵコントローラ３２には、１つ若しくは複数のコントローラ３３が接続される。コントローラ３２は、制御手段としてのＭＰＵ３５、温度設定器３３との通信インターフェース（以下Ｉ／Ｆという）３６、不揮発性メモリとしてのＥＥＰＲＯＭ３７、ＲＯＭ３８、サーミスタＩ／Ｆ３９、バルブＩ／Ｆ４０、ファンＩ／Ｆ４１、汎用入力部４２、汎用出力部４３、着脱自在に装着される中央装置としての監視管理装置との通信インターフェイス部４４及び電源装置４５を有する。通信インターフェイス部４４は着脱可能なモジュール構造である。
【００１３】
通信インターフェイス部４４は、通信制御４６、通信Ｉ／Ｆ４７、ＲＯＭ４８からなる。コイル及びファンを有するＦＣＵ５０、冷温水制御用バルブ５１，５２はビルの設備としての空調機器を構成する。
【００１４】
配管方式が４管切換方式の場合には、図３に示すようにバルブ５１，５２は冷温水制御用バルブとしての２つの３方弁が用いられ、ＦＣＵ５０のコイルの両端はそれぞれバルブ５１，５２を介して冷水用配管５３及び温水用配管５４に接続されて冷水用配管５３及び温水用配管５４が図示しない冷熱源機器に接続される。バルブ５１，５２はＭＰＵ３５によりバルブＩ／Ｆ４０を介して制御されてＦＣＵ５０のコイルを冷水用配管５３と温水用配管５４とに切り替え接続する。
【００１５】
冷房モードで冷房を行う冷房運転時には、冷熱源機器で発生した冷媒としての冷水が冷水用配管５３、バルブ５１，５２を介してＦＣＵ５０のコイルに通され、ＦＣＵ５０のコイルが冷水と空気との熱交換を行ってその冷風がＦＣＵ５０のファンにより室内を循環することで、室内の冷房が行われる。暖房モードで暖房を行う暖房運転時には、冷熱源機器で発生した熱媒としての温水が温水用配管５４、バルブ５１，５２を介してＦＣＵ５０のコイルに通され、ＦＣＵ５０のコイルが温水と空気との熱交換を行ってその温風がＦＣＵ５０のファンにより室内を循環することで、室内の暖房が行われる。
【００１６】
２パイプ１コイル方式の場合には、図４に示すようにバルブ５１は冷温水制御用バルブとしての２方弁が用いられ、ＦＣＵ５０のコイルの両端はバルブ５１を介して冷温水用配管５５に接続されて冷温水用配管５５が図示しない冷熱源機器に接続される。バルブバルブ５１はＭＰＵ３５によりバルブＩ／Ｆ４０を介して制御される。
【００１７】
冷房運転時には、冷熱源機器で発生した冷水が冷温水用配管５５、バルブ５１を介してＦＣＵ５０のコイルに通され、ＦＣＵ５０のコイルが冷水と空気との熱交換を行ってその冷風がＦＣＵ５０のファンにより室内を循環することで、室内の冷房が行われる。暖房運転時には、冷熱源機器で発生した温水が冷温水用配管５５、バルブ５１を介してＦＣＵ５０のコイルに通され、ＦＣＵ５０のコイルが温水と空気との熱交換を行ってその温風がＦＣＵ５０のファンにより室内を循環することで、室内の暖房が行われる。
【００１８】
４管方式の場合には、図５に示すようにバルブ５１，５２は冷温水制御用バルブとしての２つの２方弁が用いられ、ＦＣＵ５０のコイルの両端はバルブ５１を介して冷水用配管５３に接続されるとともにバルブ５２を介して温水用配管５４に接続され、冷水用配管５３及び温水用配管５４が図示しない冷熱源機器に接続される。バルブ５１，５２はＭＰＵ３５によりバルブＩ／Ｆ４０を介して制御される。
【００１９】
冷房運転時には、冷熱源機器で発生した冷水が冷水用配管５３、バルブ５１を介してＦＣＵ５０のコイルに通され、ＦＣＵ５０のコイルが冷水と空気との熱交換を行ってその冷風がＦＣＵ５０のファンにより室内を循環することで、室内の冷房が行われる。暖房運転時には、冷熱源機器で発生した温水が温水用配管５４、バルブ５２を介してＦＣＵ５０のコイルに通され、ＦＣＵ５０のコイルが温水と空気との熱交換を行ってその温風がＦＣＵ５０のファンにより室内を循環することで、室内の暖房が行われる。
【００２０】
配管センサ５６は、上記配管に取りつけられたサーミスタからなり、上記配管の温度を検知することで水温を検知する。送風センサ５７は、サーミスタが用いられ、ＦＣＵ５０の送風温度を検知する。配管センサ５６、送風センサ５７の検知信号はサーミスタＩ／Ｆ３９を介してＭＰＵ３５に入力される。汎用入力部４２は、任意の機器を接続することが可能であり、例えば室内の人間を検知して接点が閉じる人感センサからなる在室センサと、ＦＣＵ５０のファンの故障を検知して接点がオンとなるファン故障センサ等が接続される。在室センサ及びファン故障センサの検知信号は汎用入力部４２を介してＭＰＵ３５に入力される。汎用出力部４３は、任意の機器を接続することが可能であり、例えば室の換気を行う換気扇や、ＦＣＵ５０内に配置された殺菌灯等が接続される。
【００２１】
電源装置４５は商用交流電源５８からの交流入力電圧から所定の直流電圧を生成してこれを各部へ印加する。通信制御ＣＰＵ４６は、通信Ｉ／Ｆ４７及びネットワーク３１を介して監視管理装置３０と信号の送受信を行うとともに、ＭＰＵ３５と信号の送受信を行う。
【００２２】
各温度設定器３３は、制御手段としてのＭＰＵ５９、通信Ｉ／Ｆ６０、表示部６１、入力部６２、装置設定手段としてのディップスイッチ６３、サーミスタＩ／Ｆ６４、室内の温度を検知する室温センサ６５を有する。ディップスイッチ６３はオンすることにより初期設定値を変更することが可能となり、これにより当該ＦＣＵコントローラ固有の各種情報、制御定数、汎用入出力制御パターン等を設定することができる。
図６は温度設定器３３の表面を示す。表示部６１は液晶表示器６６及びＬＥＤ表示器６７，６８を有する。入力部６２は、運転／停止キー６９、送風切換キー７０、アップキー７１及びダウンキー７２からなるキースイッチを有する。
【００２３】
ＭＰＵ５９は、通常モードにおいて、次のような処理を行う。
すなわち、ＭＰＵ５９は、運転／停止キー６９からの入力信号により、運転／停止キー６９が押下される毎に運転モードと停止モードとを交互に切換え、運転表示部としてのＬＥＤ表示器６７を運転モード時に点灯させて停止モード時に消灯させる。
【００２４】
また、ＭＰＵ５９は、送風切換キー７０からの入力信号に基づいて送風切換キー７０の押下毎に自動送風モード（ＡＵＴＯ）、送風弱モード、送風中モード、送風強モードをサイクリックに切換える。但し、ＭＰＵ５９は、初期設定でファン制御の設定がなされているときのみ送風切換キー７０を有効とする。ＭＰＵ５９は、空調機器による空調を行う運転モードにおいて、アップキー７１及びダウンキー７２からの入力信号により、アップキー７１の押下毎に室温設定値を０．５℃単位で上げ、ダウンキー７２の押下毎に室温設定値を０．５℃単位で下げる。
【００２５】
ＭＰＵ５９は、監視管理装置３０によりスイッチロックが設定されている場合には、スイッチロック表示部としてのＬＥＤ表示器６８を点灯させ、運転モード及び停止モードに拘わらず入力部６２のキースイッチ操作を無効とする。一方、監視管理装置３０によりスイッチロックが解除されている場合には、スイッチロック表示部としてのＬＥＤ表示器６８を消灯させ、入力部６２のキースイッチ操作を有効とする。いずれの場合でも監視管理装置３０はスイッチロックの設定・解除信号をネットワーク３１、通信部４４を介してＭＰＵ３５に転送し、ＭＰＵ３５はそのスイッチロックの設定信号を通信Ｉ／Ｆ３６，６０を介してＭＰＵ５９に転送する。
【００２６】
ＭＰＵ５９は、初期設定で室温表示を有効とした場合には、初期設定で設定された温度設定器に付いている室温センサ６５からサーミスタＩ／Ｆ６４を介して入力される検知信号により、その室温センサの検知温度を液晶表示器６６に表示させる。
【００２７】
ＭＰＵ５９は、暖房運転モード、冷房運転モード、送風運転モードで現在の運転状態を液晶表示器６６に表示させ、設定温度を液晶表示器６６に表示させる。ＭＰＵ５９は、液晶表示器６６にファンマークにて送風弱、送風中、送風強のいずれの状態であるかを表示させ、自動運転モードで液晶表示器６６にＡＵＴＯを表示させる。ＭＰＵ５９は入力部６２の運転／停止キー６９、送風切換キー７０、アップキー７１及びダウンキー７２、スライドスイッチにより指定された各モード、現在の室温設定値などを通信Ｉ／Ｆ６０、３５を介してＭＰＵ３５に転送し、ＭＰＵ３５はそのモード、現在の室温設定値などをＦＣＵ５０の制御などに用いる。
【００２８】
ＭＰＵ５９は、ＦＣＵ５０、殺菌灯、換気扇が停止している運転停止状態で初期設定キーであるディップスイッチ６３がオンされて運転／停止キー６９が押下されると、初期設定キー及び運転／停止キー６９からの入力信号により、初期設定モードとし、図７に示すように液晶表示器６６に初期設定の項目と現在の設定内容を表示する。ＭＰＵ５９は、初期設定モードで液晶表示器６６に表示されている項目の設定内容に変更が無くてアップキー７１、ダウンキー７２が押下されると、アップキー７１、ダウンキー７2からの入力信号に応じて液晶表示器６６の表示項目を順方向又は逆方向に順次に変更することで項目を選択する。
【００２９】
ＭＰＵ５９は、初期設定モードで液晶表示器６６に表示されている項目の設定内容を変更するために送風切換キー７０が押下されると、送風切換キー７０からの入力信号により、液晶表示器６６に表示されている項目の設定内容をフリッカー状態とする。ＭＰＵ５９は、このフリッカー状態でアップキー７１、ダウンキー７２が押下されると、アップキー７１、ダウンキー７2からの入力信号により、液晶表示器６６に表示されている項目の設定内容を変更し、送風切換キー７０が押下されると、送風切換キー７０からの入力信号により、液晶表示器６６に表示されている項目の設定内容を設定してフリッカーを停止させる。
【００３０】
初期設定の各項目の設定は、室温センサの選択、図３〜図５に示すような配管方式のいずれかの選択、ＦＣＵ５０及びバルブ５１、５２に関する設定、汎用入力部４２及び汎用出力部４３に関する設定、室番号の設定などである。ＭＰＵ５９は、初期設定を終了させるために運転／停止キー６９が押下されると、運転／停止キー６９からの入力信号により、初期設定モードを運転停止状態に切換え、初期設定の内容を通信Ｉ／Ｆ６０、３６を介してＭＰＵ３５に転送してＥＥＰＲＯＭ３７に格納させる。
ＭＰＵ３５は、監視管理装置３０からネットワーク３１及び通信部４４を介してＥＥＰＲＯＭ３７内の初期設定の設定内容を変更するように指示された場合には、その指示に従ってＥＥＰＲＯＭ３７内の初期設定の設定内容を変更する。
【００３１】
通信インターフェイス部４４が装着されていない場合には本実施例は集中処理型の設備制御システムとなり、ＭＰＵ３５は、ＥＥＰＲＯＭ３７に格納されている初期設定の設定内容や、ＭＰＵ５９から通信Ｉ／Ｆ６０、３６を介して転送される各モード、現在の温度設定値、室温センサの検知温度などのデータ、サーミスタＩ／Ｆ３９からの入力信号、汎用入力部４２からの入力信号（ファン故障センサ、在室センサの検知信号）、ＥＥＰＲＯＭ３７内のデータを用いて、バルブＩ／Ｆ４０、ファンＩ／Ｆ４１、汎用出力部４３を介してバルブ５１，５２、ファンコイル５０のコイル及びファン、殺菌灯、換気ファンを後述のように制御する。
【００３２】
ＭＰＵ３５は、ＦＣＵ５０のファン制御を次のように行う。
ＭＰＵ3５は、ＥＥＰＲＯＭ３７に格納されている初期設定のファン制御情報に従ってＦＣＵ５０のファンの１段制御又は３段制御を行う。ＭＰＵ3５は、１段制御の場合には、ファンＩ／Ｆ４１を介してＦＣＵ５０のファンを風量が風量弱モード、風量中モード、風量強モードのうち初期設定で設定されたモードの風量（風量弱モード、風量中モード、風量強モードにそれぞれ対応する風量弱、風量中、風量強のいずれか）になるように制御する。
【００３３】
また、ＭＰＵ3５は、3段制御の場合には、ファンＩ／Ｆ４１を介してＦＣＵ５０のファンをその風量が風量弱モード、風量中モード、風量強モード、ＡＵＴＯのうちの送風切換キー７０により指定されたモードの風量になるように制御する。ＡＵＴＯの場合には、ＭＰＵ3５は、図８に示すように温度設定値に対して室温センサの検知温度が冷房ヒステリシス値±Ｈ又は暖房ヒステリシス値±Ｈに達したときにファンＩ／Ｆ４１を介してＦＣＵ５０のファンをその風量が風量中になるように制御し、温度設定値に対して室温センサの検知温度が冷房ヒステリシス値±2Ｈ又は暖房ヒステリシス値±2Ｈに達したときにファンＩ／Ｆ４１を介してＦＣＵ５０のファンをその風量が風量強になるように制御する。
【００３４】
ＭＰＵ3５は、逆に、ファンの風量が風量強である場合に温度設定値に対して室温センサの検知温度が冷房ヒステリシス値±Ｈ又は暖房ヒステリシス値±Ｈ以内に入ると、ファンＩ／Ｆ４１を介してＦＣＵ５０のファンをその風量が風量中になるように制御し、ファンの風量が風量中である場合に室温センサの検知温度が温度設定値になったときにファンＩ／Ｆ４１を介してＦＣＵ５０のファンをその風量が風量弱になるように制御する。
【００３５】
次に、配管方式が図４に示すような２パイプ１コイル方式である場合のバルブ制御について説明する。
バルブ５１の制御が初期設定でオン／オフ制御に設定されている場合には、ＭＰＵ3５は、図９に示すように、バルブ５１が閉じている時に温度設定値に対して室温センサの検知温度がヒステリシス値±Ｈに達すると、バルブＩ／Ｆ４０を介してバルブ５１を開き、バルブ５１が開いている時に室温センサの検知温度が温度設定値に達すると、バルブＩ／Ｆ４０を介してバルブ５１を閉じる。図１０はＡＵＴＯ時のバルブ制御を示す。
【００３６】
ＭＰＵ3５は、バルブ５１の制御が初期設定でフローティング制御（比例制御）に設定されている場合には、設定温度（設定室温）Ｓに対する現在の温度（室温）Ｐの関係からバルブＩ／Ｆ４０を介してバルブ５１の開度を段階的に制御する。
【００３７】
次に、配管方式が図３及び図５に示すような4パイプ方式である場合のバルブ制御について説明する。
ＭＰＵ3５は、初期設定で冷房の設定が行われた場合にはバルブＩ／Ｆ４０を介してバルブ５１、５２を冷房のみが行われるように制御し、初期設定で暖房の設定が行われた場合にはバルブＩ／Ｆ４０を介してバルブ５１、５２を暖房のみが行われるように制御する。
【００３８】
ＭＰＵ3５は、初期設定で冷房・暖房の自動切換が設定された場合には、室温と設定温度との差に応じてバルブＩ／Ｆ４０を介してバルブ５１、５２を制御することにより、冷房と暖房を室温と設定温度との差に応じて行う。ＭＰＵ3５は、室温が設定温度＋冷房ヒステリシス値以上の場合には、室温と設定温度との差に応じてバルブＩ／Ｆ４０を介してバルブ５１、５２を制御することにより冷房を行い、室温が設定温度−冷房ヒステリシス値以下の場合には、室温と設定温度との差に応じてバルブＩ／Ｆ４０を介してバルブ５１、５２を制御することにより暖房を行い、それ以外の場合には送風モードとする。
【００３９】
ＭＰＵ3５は、初期設定でバルブのオン／オフ制御が設定された場合には、図１１に示すように、通常運転中においてバルブ５１、５２が閉状態で設定温度に対して室温が設定ヒステリシス値で設定される範囲に達したときにバルブＩ／Ｆ４０を介してバルブ５１、５２を開き、バルブ５１、５２が開状態で室温が設定温度に達したときにバルブＩ／Ｆ４０を介してバルブ５１、５２を閉じる。
【００４０】
ＭＰＵ3５は、初期設定でバルブのフローティング制御（比例制御）が設定された場合には、配管方式が２パイプ１コイル方式の場合と同様に冷房モード及び暖房モードでのバルブの開度制御を行い、設定温度と現在の室温との関係からバルブＩ／Ｆ４０を介してバルブ５１、５２の開度を制御する。
【００４１】
また、通信部４４が装着されている場合には標準規格化されたネットワーク・プロトコルを利用した分散型設備制御システムとなる。監視管理装置３０は、Lon  Worksのようなネットワーク３１及び通信部４４を介してＭＰＵ３５と通信を行ってファンコイル５０のコイル、ファン、及び殺菌灯、換気ファン等の汎用入出力等の監視及び管理を行う。
【００４２】
コントローラ３２において通信インターフェイス部４４を除く部分については、ＭＰＵ３５は監視管理装置３０の制御のもとに、ＥＥＰＲＯＭ３７に格納されている初期設定の設定内容や、ＭＰＵ５９から通信Ｉ／Ｆ６０、３６を介して転送される室温センサの検知温度などのデータ、サーミスタＩ／Ｆ３９からの入力信号、汎用入力部４２からの入力信号（ファン故障センサ、在室センサの検知信号等）、ＥＥＰＲＯＭ３７内のデータを用いて、バルブＩ／Ｆ４０、ファンＩ／Ｆ４１、汎用出力部４３を介してバルブ５１，５２、ファンコイル５０のコイル及びファンを上述のように制御する。
【００４３】
監視管理装置３０は、ネットワーク３１及び通信インターフェイス部４４を介してＭＰＵ３５から室温センサの検知温度、温度設定値、ファンコイル５０のファン速度、運転モード、初期設定の設定内容、配管センサ５６の検知温度、送風センサ５７の検知温度、暖房制御出力（暖房モードでのファンコイル５０及びバルブ５１、５２の制御状態を示す信号）、冷房制御出力（冷房モードでのファンコイル５０及びバルブ５１、５２の制御状態を示す信号）、ファンコイル５０の状態信号などを取得し、これらによりコントローラ３２、ファンコイル５０、バルブ５１、５２などを監視すると共に、ネットワーク３１及び通信インターフェイス部４４を介してＭＰＵ３５に制御信号を送信してファンコイル５０のコイル及びファン、バルブ５１、５２の制御、設定温度の変更、ファンコイル５０のファン速度の変更、各種運転状態の変更などを行う。ＭＰＵ３５と通信インターフェイス部４４のデータの授受は、ＭＰＵ３５がマスター、通信インターフェイス部４４がスレーブとなり、ＭＰＵ３５がデータ送受の主導権を持つ構成で実現している。ＭＰＵ３５と通信インターフェイス部４４のデータ授受はトークンと呼ばれる送受切符を持って実行される。送信を行う為にはトークンを所有していなければならず、該トークンは通信初期化時、データ送受のマスターとなるＭＰＵ３５に生成され、常時はＭＰＵ３５が所有している。従って、データ送受のスレーブとなる通信インターフェイス部４４はマスターとなるＭＰＵ３５からトークンを渡してもらった時初めて送信可能となる。
【００４４】
図１２に示すように初期設定で汎用入力部４２にａ接点入力信号が入力されるように設定した場合には汎用入力部４２に接続された機器のオンでＭＰＵ３５が図１２に示すように初期設定の設定内容に応じた動作、処理を行い、初期設定で汎用入力部４２からｂ接点入力信号が入力されるように設定した場合には汎用入力部４２に接続された機器のオフでＭＰＵ３５が図１２に示すように初期設定の設定内容に応じた動作、処理を行う。
【００４５】
すなわち、ＭＰＵ３５は、ａ接点入力信号又はｂ接点入力信号による動作を運転継続とする初期設定がなされた場合にはａ接点入力信号又はｂ接点入力信号により現在の運転状況を継続し、ａ接点入力信号又はｂ接点入力信号による動作を運転停止とする初期設定がなされた場合にはａ接点入力信号又はｂ接点入力信号により運転を停止する。ＭＰＵ３５は、ａ接点入力信号又はｂ接点入力信号による動作を在室運転モードでの運転開始の初期設定がなされた場合にはａ接点入力信号又はｂ接点入力信号により在室運転モードで運転を開始し、ａ接点入力信号又はｂ接点入力信号による動作を運転準備モードでの運転開始の初期設定がなされた場合にはａ接点入力信号又はｂ接点入力信号により運転準備モードで運転を開始し、ａ接点入力信号又はｂ接点入力信号による動作を空室運転モードでの運転開始の初期設定がなされた場合にはａ接点入力信号又はｂ接点入力信号により空室運転モードで運転を開始する。また、ＭＰＵ３５は、ａ接点入力信号又はｂ接点入力信号による処理を異常表示の初期設定がなされた場合にはａ接点入力信号又はｂ接点入力信号により通信Ｉ／Ｆ３６、６０を介してＭＰＵ５９に液晶表示器６６で異常表示を行わせる。また、汎用入力の状態はネットワーク３１及び通信インターフェイス部４４を介し監視管理装置から監視することも可能である。
【００４６】
図１３は、汎用入力部４２の１組目の入力端子に入力される汎用入力１に関する初期設定の処理を示す。上述のように室内の人間を検知して接点が閉じる人感センサからなる在室センサが汎用入力部４２の１組目の入力端子に接続されて在室センサからの汎用入力１が汎用入力部４２に入力される場合には、上述した初期設定モードで例えば汎用入力１の論理をａ接点入力に設定して汎用入力１の動作を運転開始（在室運転モード）に設定し、汎用入力１の処理を異常表示なしに設定する。
【００４７】
この場合、液晶表示器６６に表示されている項目を所望の項目にアップキー７１、ダウンキー７２で変更して送風切換キー７０によりその設定内容をフリッカー状態とし、アップキー７１、ダウンキー７2により項目の設定内容を変更し、送風切換キー７０により液晶表示器６６に表示されている項目の設定内容を設定してフリッカーを停止させる。
【００４８】
ＭＰＵ５９は、初期設定モードでアップキー７１、ダウンキー７２及び送風切換キー７０からの入力信号により、汎用入力１の論理をａ接点入力に設定して汎用入力１の動作を運転開始（在室運転モード）に設定し、汎用入力１の処理を異常表示なしに設定してこれらの項目の設定内容を通信Ｉ／Ｆ６０、３６を介してＭＰＵ３５に送信する。ＭＰＵ３５は、それらの項目の設定内容を不揮発性メモリとしてのＥＥＰＲＯＭ３７に格納する。また、これらの設定はネットワーク３１及び通信インターフェイス部４４を介して監視管理装置が行うことも可能である。
【００４９】
図１４は汎用入力１による処理を示す。ＭＰＵ３５は、ＥＥＰＲＯＭ３７内の初期設定の設定内容に基づいて汎用入力１の論理がａ接点入力であるかｂ接点入力であるかを判断し、在室センサから汎用入力部４２を介して入力される汎用入力１がａ接点入力であるから汎用入力１による動作に進む。ＭＰＵ3５は、汎用入力１による動作では、初期設定で汎用入力１の動作が運転開始（在室運転モード）に設定されているから、汎用入力１により在室センサがオンした時に在室運転モードの運転（上述した運転）を開始する。
このように、本実施例は、人が室に在室していることを検知して自動的に運転を開始するとともにネットワーク３１と通信インターフェイス部４４を介して監視管理装置に伝達することも可能である。
【００５０】
図１５は、汎用入力部４２の２組目の入力端子に入力される汎用入力２に関する初期設定の処理を示す。在室センサが汎用入力部４２の２組目の入力端子に接続されて在室センサからの汎用入力２が汎用入力部４２に入力される場合において、上述した初期設定モードで汎用入力２の論理をｂ接点入力に設定して汎用入力２の動作を運転開始（空室運転モード）に設定し、汎用入力２の処理を異常表示なしに設定する。
【００５１】
この場合も、初期設定モードで液晶表示器６６に表示されている項目を所望の項目にアップキー７１、ダウンキー７２で変更して送風切換キー７０によりその設定内容をフリッカー状態とし、アップキー７１、ダウンキー７2により項目の設定内容を変更し、送風切換キー７０により液晶表示器６６に表示されている項目の設定内容を設定してフリッカーを停止させる。
【００５２】
ＭＰＵ５９は、初期設定モードでアップキー７１、ダウンキー７２及び送風切換キー７０からの入力信号により、汎用入力２の論理をｂ接点入力に設定して汎用入力２の動作を運転開始（空室運転モード）に設定し、汎用入力２の処理を異常表示なしに設定してこれらの項目の設定内容を通信Ｉ／Ｆ６０、３６を介してＭＰＵ３５に送信する。ＭＰＵ３５は、それらの項目の設定内容を不揮発性メモリとしてのＥＥＰＲＯＭ３７に格納する。同様にネットワーク３１及び通信インターフェイス部４４を介して監視管理装置から行うことも可能である。
【００５３】
図１６は汎用入力2による処理を示す。ＭＰＵ3５は、ＥＥＰＲＯＭ３７内の初期設定の設定内容に基づいて汎用入力2の論理がａ接点入力であるかｂ接点入力であるかを判断し、在室センサから汎用入力部４２を介して入力される汎用入力2がｂ接点入力であるから汎用入力2による動作に進む。ＭＰＵ3５は、汎用入力2による動作では、汎用入力2の動作が運転開始（空室運転モード）に設定されているから、汎用入力2により、人が室に不在になって在室センサがオフした時に空室運転モードの運転を開始する。
このように、本実施例は、人が室に不在になった時に自動的に空室運転を開始し、省エネルギーを図ることができる。
【００５４】
図１７は汎用入力部４２の３組目の入力端子に入力される汎用入力3に関する初期設定の処理を示す。ファン故障センサが汎用入力部４２の３組目の入力端子に接続されてファン故障センサからの汎用入力3が汎用入力部４２の３組目の入力端子に入力される場合には、上述した初期設定モードで汎用入力3の論理をａ接点入力に設定して汎用入力3の動作を運転停止に設定し、汎用入力3の処理を異常表示に設定する。
【００５５】
この場合、液晶表示器６６に表示されている項目を所望の項目にアップキー７１、ダウンキー７２で変更して送風切換キー７０によりその設定内容をフリッカー状態とし、アップキー７１、ダウンキー７2により項目の設定内容を変更し、送風切換キー７０により液晶表示器６６に表示されている項目の設定内容を設定してフリッカーを停止させる。
【００５６】
ＭＰＵ５９は、初期設定モードでアップキー７１、ダウンキー７２及び送風切換キー７０からの入力信号により、汎用入力3の論理をａ接点入力に設定して汎用入力3の動作を運転停止に設定し、汎用入力3の処理を異常表示に設定してこれらの項目の設定内容を通信Ｉ／Ｆ６０、３６を介してＭＰＵ３５に送信する。ＭＰＵ３５は、それらの項目の設定内容を不揮発性メモリとしてのＥＥＰＲＯＭ３８に格納する。同様にネットワーク３１及び通信インターフェイス部４４を介して監視管理装置から行うことも可能である。
【００５７】
図１８は汎用入力3による処理を示す。ＭＰＵ3５は、ＥＥＰＲＯＭ３７内の初期設定の設定内容に基づいて汎用入力3の論理がａ接点入力であるかｂ接点入力であるかを判断し、ファン故障センサから汎用入力部４２を介して入力される汎用入力3がａ接点入力であるから汎用入力3による動作に進む。ＭＰＵ3５は、汎用入力3による動作では、初期設定で汎用入力3の動作が運転停止に設定されているから、汎用入力3によりファン故障センサがオンした時に運転中（ＦＣＵ５０及びバルブ５１,５２の制御中）であれば運転を停止する。
このように、本実施例は、ＦＣＵ５０のファンが故障した時に運転を停止して異常を表示することができるとともにネットワーク３１と通信インターフェイス部４４を介して監視管理装置に伝達することも可能である。。
【００５８】
図１９は汎用出力部４3から出力される汎用出力１に関する初期設定の処理を示す。換気ァンが汎用出力部４3の１番目の出力端子に接続されて汎用出力１が汎用出力部４3の１番目の出力端子から換気ファンへ出力される場合には、上述した初期設定モードで汎用出力１をｍパターンに設定し、汎用出力１のｍパターン時間をｔ1：２８℃、ｔ2：２６℃に設定する。
【００５９】
この場合、液晶表示器６６に表示されている項目を所望の項目にアップキー７１、ダウンキー７２で変更して送風切換キー７０によりその設定内容をフリッカー状態とし、アップキー７１、ダウンキー７2により項目の設定内容を変更し、送風切換キー７０により液晶表示器６６に表示されている項目の設定内容を設定してフリッカーを停止させる。
【００６０】
ＭＰＵ５９は、初期設定モードでアップキー７１、ダウンキー７２及び送風切換キー７０からの入力信号により、汎用出力１をｍパターンに設定し、汎用出力１のｍパターン時間をｔ1：２８℃、ｔ2：２６℃に設定してこれらの項目の設定内容を通信Ｉ／Ｆ６０、３６を介してＭＰＵ３５に送信する。ＭＰＵ３５は、それらの項目の設定内容を不揮発性メモリとしてのＥＥＰＲＯＭ３７に格納する。同様にネットワーク３１及び通信インターフェイス部４４を介して監視管理装置から行うことも可能である。
【００６１】
ここに、不揮発性メモリとしてのＥＥＰＲＯＭ３７には、図２３及び図２４に示すような複数の制御パターンａ〜ｎが格納されており、初期設定でこれらの制御パターンの中から汎用出力部４３に接続された機器を制御するための制御パターンを設定する。制御パターンａは図２３(1)に示すように運転中に汎用出力部４３の汎用出力をオンさせる制御パターンであり、制御パターンｂは図２３(2)に示すように暖房運転中における暖房用バルブの開時に汎用出力部４３の汎用出力をオンさせる制御パターンである。
【００６２】
制御パターンｃは図２３(3)に示すように冷房運転中における冷房用バルブの開時に汎用出力部４３の汎用出力をオンさせる制御パターンであり、制御パターンｄは図２３(4)に示すようにバルブ５１、５２を駆動するバルブ駆動出力1、2に合わせて汎用出力部４３の汎用出力をオンさせる制御パターンである。制御パターンｅは図２３(5)に示すようにＦＣＵ５０のファンを風量弱で回転させるファンＬ出力に合わせて汎用出力部４３の汎用出力をオンさせる制御パターンであり、制御パターンｆは図２３(6)に示すようにＦＣＵ５０のファンを風量中で回転させるファンＭ出力に合わせて汎用出力部４３の汎用出力をオンさせる制御パターンである。
【００６３】
制御パターンｇは図２３(7)に示すようにＦＣＵ５０のファンを風量強で回転させるファンＨ出力に合わせて汎用出力部４３の汎用出力をオンさせる制御パターンであり、制御パターンｈは図２３(8)に示すようにファンＬ出力及びファンＭ出力に合わせて汎用出力部４３の汎用出力をオンさせる制御パターンである。制御パターンｉは図２４(9)に示すようにファンＬ出力及びファンＨ出力に合わせて汎用出力部４３の汎用出力をオンさせる制御パターンであり、制御パターンｊは図２４(10)に示すようにファンＭ出力及びファンＨ出力に合わせて汎用出力部４３の汎用出力をオンさせる制御パターンである。
【００６４】
制御パターンｋは図２４(11)に示すようにファンＬ出力、ファンＭ出力及びファンＨ出力に合わせて汎用出力部４３の汎用出力をオンさせる制御パターンであり、制御パターンｌは図２４(12)に示すように運転中に汎用出力部４３の汎用出力を、オンとオフとが初期設定で設定される時間Ｔ1，Ｔ2ずつ交互に繰返させる制御パターンである。制御パターンｍは図２４(13)に示すように運転中にに汎用出力部４３の汎用出力を、室温が初期設定で設定される温度ｔ1以上に上昇した時にオンとすると共に、室温が初期設定で設定される温度ｔ2以下に下降した時にオフとする制御パターンである。制御パターンｎは図２４(14)に示すように運転中にに汎用出力部４３の汎用出力を、運転開始時にオンにし、室温が初期設定で設定される温度ｔ1以上に上昇した時にオフとすると共に、室温が初期設定で設定される温度ｔ2以下に下降した時にオンにし、運転終了時にオフとする制御パターンである。
【００６５】
図２０は汎用出力１による処理を示す。ＭＰＵ３５は、ＥＥＰＲＯＭ３７内の初期設定の設定内容に基づいて汎用出力１をｍパターンとする初期設定がなされている否かを判断し、汎用出力１をｍパターンとする初期設定がなされている場合には、室温センサからの入力信号により、現在の室温がｔ1(２８℃)以上であるか否かを判断し、現在の室温がｔ1(２８℃)以上になれば接点をオンさせることで汎用出力１をオンにして換気ファンを汎用出力１により回転させる。
【００６６】
ＭＰＵ３５は、現在の室温がｔ1(２８℃)以上でなければ現在の室温がｔ2(２６℃)以下であるか否かを判断し、現在の室温がｔ2(２６℃)以下になれば接点をオフさせることで汎用出力１をオフにして換気ファンを停止させる。
このように、本実施例は、室温がｔ1(２８℃)以上になれば換気ファンが作動し、冬場時には室内の換気効果を高め、夏場時には室内の換気効果を高めるとともに、外気の導入による省エネルギー効果を期待できる。
【００６７】
図２１は汎用入力部４２の２番目の出力端子から出力される汎用出力２に関する初期設定の処理を示す。殺菌灯が汎用出力部４２の２番目の出力端子に接続されて汎用入力部４２からの汎用出力２により殺菌灯が駆動される場合には、上述した初期設定モードで汎用出力２をｋパターンに設定する。この場合、液晶表示器６６に表示されている項目を所望の項目にアップキー７１、ダウンキー７２で変更して送風切換キー７０によりその設定内容をフリッカー状態とし、アップキー７１、ダウンキー７2により項目の設定内容を変更し、送風切換キー７０により液晶表示器６６に表示されている項目の設定内容を設定してフリッカーを停止させる。
【００６８】
ＭＰＵ５９は、初期設定モードでアップキー７１、ダウンキー７２及び送風切換キー７０からの入力信号により、汎用出力２をｋパターンに設定してその項目の設定内容を通信Ｉ／Ｆ６０、３６を介してＭＰＵ３５に送信する。ＭＰＵ３５は、それらの項目の設定内容を不揮発性メモリとしてのＥＥＰＲＯＭ３８に格納する。同様にネットワーク３１及び通信インターフェイス部４４を介して監視管理装置から行うことも可能である。
【００６９】
図２２は汎用出力２による処理を示す。ＭＰＵ3５は、ＥＥＰＲＯＭ３７内の初期設定の設定内容に基づいて汎用出力２をｋパターンとする初期設定がなされている否かを判断し、汎用出力２をｋパターンとする初期設定がなされている場合にはファンＬ出力、ファンＭ出力及びファンＨ出力によりＦＣＵ５０のファンが作動中であるか否かを判断する。ＭＰＵ3５は、ＦＣＵ５０のファンが作動中でなければ汎用出力部４３の接点オフにより汎用出力２をオフさせて殺菌灯をオフさせ、ＦＣＵ５０のファンが作動中であれば汎用出力部４３の接点オンにより汎用出力２をオンさせて殺菌灯をオンさせる。
このように、本実施例は、ファン動作中にＦＣＵ５０内の殺菌灯が点灯し、殺菌灯で殺菌された空気を提供することができる。
【００７０】
なお、汎用出力部４３には、殺菌灯と換気扇を接続したが、これらと機種の異なるもの或いは他の機器を接続し、これらの機器を制御するための制御パターンをＥＥＰＲＯＭ３７内の制御パターンａ〜ｎの中から初期設定で設定することが可能である。また、汎用入力部４２には、在室センサ、ファン故障センサを接続したが、これらと機種の異なるもの或いは他の機器を接続し、これらの機器から汎用入力部４２への汎用入力を用いてコントローラ３２に接続されている機器を制御することも可能である。
【００７１】
以上のように、この実施例によれば、設備としての空調機器（ＦＣＵ５０、バルブ５１，５２等）を制御する制御部であるＦＣＵコントローラ１１、１２・・・は、任意の機器が接続される汎用出力部４３と、機器を制御するための複数種類の制御パターンａ〜ｎを記憶する記憶手段としてのＥＥＰＲＯＭ３８と、前記汎用出力部４３に接続された機器に応じて、該機器を制御するための制御パターンを前記複数種類の制御パターンａ〜ｎの中から設定する設定手段としての入力部６２とを備えたので、汎用出力部に接続される機器の追加、交換、削除や機種変更が可能であり、リニューアルに要するコストを低減することができる。
【００７２】
また、この実施例によれば、任意の機器が接続される汎用入力部４２を備え、前記設定手段６２にて、前記汎用出力部４３に接続された第１の機器に応じて、該第１の機器を制御するための制御パターンを前記複数種類の制御パターンａ〜ｎの中から設定すると共に、前記汎用入力部４２に接続された機器からの入力信号に応じた制御パターンで、コントローラ３２に接続された第２の機器を前記制御部により制御するように設定するので、汎用入力部に接続される機器の追加、削除や機種変更が可能であり、リニューアルに要するコストを低減することができる。
【００７３】
なお、上記実施例は主に空調機器を制御するビル管理方式であるが、本発明は空調機器以外の設備を管理するビル管理システムや、ビル管理方式以外の設備制御システムなどにも適用することができる。
【００７４】
【発明の効果】
以上のように請求項１に係る発明によれば、汎用出力部に接続される機器の追加、削除や機種変更が可能であり、リニューアルに要するコストを低減することができる。
請求項２に係る発明によれば、汎用入力部に接続される機器の追加、削除や機種変更が可能であり、リニューアルに要するコストを低減することができる。
【図面の簡単な説明】
【図１】本発明の一実施例におけるＦＣＵコントローラの構成を示すブロック図である。
【図２】同実施例の概略を示すブロック図である。
【図３】同実施例の配管方式を示す配管図である。
【図４】同実施例の他の配管方式を示す配管図である。
【図５】同実施例の別の配管方式を示す配管図である。
【図６】同実施例におけるコントローラの表面を示す平面図である。
【図７】同実施例の初期設定時の表示を示す図である。
【図８】同実施例のＡＵＴＯの場合の室温とファン出力との関係を示す図である。
【図９】同実施例の２パイプ１コイル方式での室温とバルブ開閉との関係を示す図である。
【図１０】同実施例の２パイプ１コイル方式でのＡＵＴＯ時のバルブ制御を示す図である。
【図１１】同実施例の4パイプ方式でのバルブ制御を示す図である。
【図１２】同実施例の初期設定を説明するための図である。
【図１３】同実施例の汎用入力部に入力される汎用入力１に関する初期設定の処理を示すフローチャートである。
【図１４】同実施例の汎用入力１による処理を示すフローチャートである。
【図１５】同実施例の汎用入力部に入力される汎用入力２に関する初期設定の処理を示すフローチャートである。
【図１６】同実施例の汎用入力2による処理を示すフローチャートである。
【図１７】同実施例の汎用入力部に入力される汎用入力3に関する初期設定の処理を示すフローチャートである。
【図１８】同実施例の汎用入力3による処理を示すフローチャートである。
【図１９】同実施例の汎用出力部から出力される汎用出力１に関する初期設定の処理を示すフローチャートである。
【図２０】同実施例の汎用出力１による処理を示すフローチャートである。
【図２１】同実施例の汎用入力部から出力される汎用出力２に関する初期設定の処理を示すフローチャートである。
【図２２】同実施例の汎用出力２による処理を示すフローチャートである。
【図２３】同実施例の制御パターンを示す図である。
【図２４】同実施例の他の制御パターンを示す図である。
【符号の説明】
１１、１２      ＦＣＵコントローラ
３２      ＦＣＵコントローラ
３３      温度設定器
５０      ＦＣＵ
５１、５２      バルブ
６２      入力部
【図１】
0003862943.tif 000002
【図２】
0003862943.tif 000003
【図３】
0003862943.tif 000004
【図４】
0003862943.tif 000005
【図５】
0003862943.tif 000006
【図６】
0003862943.tif 000007
【図７】
0003862943.tif 000008
【図８】
0003862943.tif 000009
【図９】
0003862943.tif 000010
【図１０】
0003862943.tif 000011
【図１１】
0003862943.tif 000012
【図１２】
0003862943.tif 000013
【図１３】
0003862943.tif 000014
【図１４】
0003862943.tif 000015
【図１５】
0003862943.tif 000016
【図１６】
0003862943.tif 000017
【図１７】
0003862943.tif 000018
【図１８】
0003862943.tif 000019
【図１９】
0003862943.tif 000020
【図２０】
0003862943.tif 000021
【図２１】
0003862943.tif 000022
【図２２】
0003862943.tif 000023
【図２３】
0003862943.tif 000024
【図２４】
0003862943.tif 000025